(57)【特許請求の範囲】
【請求項１】
根管内に挿入される導電性の測定針をクリップする電極を先端に有する根尖位置検出用リード線と、該リード線が挿通された保護チューブと、該保護チューブの後端において前記リード線の後端部を固定し、該リード線を前方に押し出すことのできる押圧部材と、常時は、前記押圧部材を後方に押し戻して前記リード線の電極と前記保護チューブの先端との間に前記測定針をクリップするようにした根尖位置検出用測定針クリップホルダから成り、前記リード線を通して前記測定針に電気を供給するとともに、該測定針を根管内に挿入し、その挿入深さから根管長を測定するようにした根管長測定装置において、前記根尖位置検出用測定針クリップホルダを２台並列に有し、各測定針クリップホルダの前記リード線に電気を供給する電気供給線の端部を単一の接続端子に接続し、該接続端子を根管長測定装置のアダプタ或いは該根管長測定装置に接続されるコード線のアダプタに着脱自在に連結されるようにしたことを特徴とする歯科用根管長測定装置。
【請求項２】
前記２台の根尖位置検出用測定針クリップホルダは、前記単一の接続端子において電気的に並列に接続され、両根尖位置検出用測定針クリップホルダが同時に使用可能であることを特徴とする請求項１に記載の歯科用根管長測定装置。
【発明の詳細な説明】
【技術分野】
【０００１】
本発明は、歯科用根管長測定器、より詳細には、根管治療の際に行われる根管長測定において、根尖孔の位置を検出した後の根管長測定針に留保されているストッパの位置、すなわち、根管長測定針の先端から前記ストッパまでの長さ（根管長）を計測する根管長測定装置において、前記根管長測定針をクリップするのに使用する測定針クリップホルダを２台並列に有し、一方のホルダを用いて術者が根管長を測定している間に、アシスタントが他方のホルダに他の測定針を装着可能とし、測定針交換に伴う術者の負担を軽減するようにしたものである。
【背景技術】
【０００２】
根管治療においては、根管治療に先立って、根管長測定針を根管内に挿入し、その先端が根尖孔の位置に到達したことを検知し、その状態で、根管長測定針に挿通されたストッパの位置を歯冠に当接させ、その状態で根管長測定針を根管から引き出し、物差し等を用いて、根管長測定針の先端から前記ストッパまでの長さ（根管長）を計測して根管長を求めている。
【０００３】
図２は、本発明が適用される根尖孔位置検出装置の一例を説明するための要部構成図で、図中、１は根尖孔位置（又は根管長）測定針（リーマ又はファイル）、２は根尖孔位置（又は根管長）を測定しようとする歯牙、３は根管、４は測定針１に軸方向に移動可能に設けられたストッパ、５は口唇、６ａは測定針１をクリップする測定電極、７は測定電極６ａに対する対向電極、８は測定電極６ａに連通する測定電極用リード線、９は口唇５に引っかけられた対向電極７に連通する対向電極用リード線、１０は先端部に前記電極６ａを有する測定電極線６（図４参照）を収納した測定針クリップホルダ、２０は前記リード線８，９が接続された根管長測定器、２１は根尖孔位置検出表示部で、周知のように、測定針（ファイル又はリーマ）１に電極６ａを接触させた状態で、測定針１を根管３内に挿入していった時の根尖孔位置検出表示部２１の指針位置より測定針１の先端が根尖孔位置に達したことを知り、その状態でストッパ４を歯牙２の歯冠に当たる位置まで動かし、その状態で測定針１を口腔外に取り出し、物差しで該測定針１の先端からストッパ４までの長さを測定するものである（例えば、特許文献１参照）。表示部２１は、例えば、ＬＥＤ，液晶等で構成され、ＡＰＥＸ（根尖孔位置），Ｗ．Ｌ（作業長：根管長）が表示され、根管長測定針１の先端が根尖孔位置に達した時に、アラーム等が鳴るようになっている。（なお、根尖孔位置を電気的に検出する方法としては、特許文献２をはじめ、多数の公報が公開されているので、その詳細については省略する）。
【０００４】
図３は、図２に示した測定針クリップホルダ１０の使用例を説明するための図、図４は、図３に示した測定針ホルダ１０の断面構成図で、図中、１０はリーマ又はファイル等の根管長測定針１を測定電極６ａと協働してクリップする先端部を有する測定針（ファイル）クリップホルダで、周知のように、根管長測定針１は、導電性の針部材１ａ，刃部１ｂ，把持部１ｃ等から成り、リーマ又はファイルから成る測定針１を用いて根管長を測定する場合、ラバーストッパ４と把握部１ｃの間を測定電極６ａで保持し、測定針１を一方の電極とする電気的根管長測定の際の一方の電極の信号取り付け部としている。この電気的な根管長の測定により、根管長が検出できたら、ラバーストッパ４を移動させて、根管長を測定針１のラバーストッパ４の位置に移して読んでいた。
【０００５】
測定電極線６は、図４に示すように、絶縁性の保護管１１内に挿通され、その端部は、機械的には、押圧部材１２に固定され、電気的にはリード線８に接続され、該リード線８を通して図２に示した根管長（根尖位置）測定器２０に導かれている。一方、保護管１１の端部１１ａは大径に形成され、この大径部１１ａ内にスプリング１３が挿入されている。従って、押圧部材１２を矢別Ａ方向に押すと、スプリング１３が圧縮され、測定電極線６が矢印Ａ′方向に移動し、従って、保護管１１の先端部１１ｂと測定電極線６の先端の電極部６ａとの間に測定針１を挿入することができ、押圧部材１２の押圧力を解除すると、測定電極線６は、スプリング１３の復元力によって矢印Ｂ′方向に移動し、従って、図３に示したように、保護管１１の先端部１１ｂと測定電極線６の測定電極６ａとの間に測定針１を狭持（クリップ）することができる。
【先行技術文献】
【特許文献】
【０００６】
【特許文献１】特開２００８−６８０１５号公報
【特許文献２】特公昭６２−２１８７号公報
【発明の概要】
【発明が解決しようとする課題】
【０００７】
上述のごとき根管長測定を行うに際し、測定針としてリーマ、ファイル等を用いて、根髄、根管拡大等を行うが、その場合に、リーマ、ファイルを徐々に大きなサイズのものに交換しながら拡大していくが、その交換回数も多く、術者（ドクター）にとって、その交換作業に時間を取られ、診療が効果的に行われないという問題があった。
【０００８】
本発明は、上述のごとき実情に鑑みてなされたもので、２本の根管長測定針クリップホルダを並列に設けておき、術者が一方のホルダに装着されている根管長測定針（リーマ、又はファイル）を用いて根管長測定を行っている間に、アシスタントが他方のホルダに次に使用する根管長測定針（リーマ又はファイル）を装備可能とし、もって、根管長測定針交換に伴う時間の無駄をなくし、診療作業時間の短縮を図ることができるようにしたものである。
【課題を解決するための手段】
【０００９】
上記課題を解決するために、請求項１の発明は、根管内に挿入される導電性の測定針をクリップする電極を先端に有する根尖位置検出用リード線と、該リード線が挿通された保護チューブと、該保護チューブの後端において前記リード線の後端部を固定し、該リード線を前方に押し出すことのできる押圧部材と、常時は、前記押圧部材を後方に押し戻して前記リード線の電極と前記保護チューブの先端との間に前記測定針をクリップするようにした根尖位置検出用測定針クリップホルダから成り、前記リード線を通して前記測定針に電気を供給するとともに、該測定針を根管内に挿入し、その挿入深さから根管長を測定するようにした根管長測定装置において、前記根尖位置検出用測定針クリップホルダを２台並列に有し、各測定針クリップホルダの前記リード線に電気を供給する電気供給線の端部を単一の接続端子に接続し、該接続端子を根管長測定装置のアダプタ或いは該根管長測定装置に接続されるコード線のアダプタに着脱自在に連結されるようにしたことを特徴としたものである。
【００１０】
請求項２の発明は、請求項１の発明において、前記２台の根尖位置検出用測定針クリップホルダは、前記単一の接続端子において電気的に並列に接続され、両根尖位置検出用測定針クリップホルダが同時に使用可能であることを特徴としたものである。
【発明の効果】
【００１１】
本発明によると、根管長測定作業において、測定針交換に伴う術者の負担をなくすとともに、測定針交換に伴う術者の時間の無駄をなくすことができ、術者は、その分作業時間を短縮して、効率よく根管長測定作業を行うことができる。
【図面の簡単な説明】
【００１２】
【図１】本発明による根管長測定用針クリップホルダの一例を説明するための図である。
【図２】本発明が適用される根尖孔位置検出装置の一例を説明するための要部構成図である。
【図３】図２に示した測定針クリップホルダ１０の使用例を説明するための図である。
【図４】図３に示した測定針クリップホルダ１０の断面構成図である。
【発明を実施するための形態】
【００１３】
図１は、本発明による根管長測定装置の一実施例を説明するための構成図で、図中、図２乃至図４に示した従来の根管長測定装置と同様の作用をする部分には、同一の参照番号を付してある。図１において、１０1，１０2は、図２乃至図４に示した測定針クリップホルダ１０と同様の構造及び機能を有する測定針クリップホルダ、それぞれ８1，８2は、リード線８に対応するリード線である。リード線８1，８2は、単一の接続端子１５に電気的に並列に接続され、該接続端子１５は、根管長測定器２０に設けられたアダプタ２２に直接接続されてもよいし、該根管長測定器のアダプタ２２に接続されたリード線８に設けられたアダプタ１６に接続されてもよい。なお、対向電極７は、対向電極用リード線９に直接接続されてもよいが、図示のように、接続具１５1，１６1を介して着脱自在に接続するようにしてもよく、このように着脱自在に接続するようにしておけば、オートクレーブ等の滅菌作業を容易に行うことができる。
【００１４】
上述のように、本発明においては、２台の測定針クリップホルダ１０1，１０2が並列に設けられており、術者が一方のホルダ（例えば１０1）を用いて、根管長を測定している間（例えば、根管の拡大作業をしている間）に、アシスタントが他方の測定針クリップホルダ（例えば、１０2）に、より径の太い他の測定針１2を装着して準備しておくことができ、術者は、測定針の交換に伴う負担をなくし、時間を無駄にすることなく、効果的に根管長測定作業を行うことができる。
【符号の説明】
【００１５】
１，１1，１2…根管長測定針、２…歯牙、３…根管、４…ストッパ、６…測定電極線、６ａ…測定電極、１０，１０1，１０2…測定針クリップホルダ、１１…測定用電極線保護管。
【図１】
0005361822.tif 000002
【図２】
0005361822.tif 000003
【図３】
0005361822.tif 000004
【図４】
0005361822.tif 000005